(57)【要約】      （修正有）【課題】テープ長方向に文字列を所定の間隔をもって繰り返し配置したケーブルラベルを作成するラベル作成装置であって、テープ長方向の最後尾の文字列が途中で切れてしまうのを防止することができるラベル作成装置およびラベル作成方法を提供する。【解決手段】入力情報に基づいてケーブルラベルＬのテープ長を設定するテープ長設定部と、設定されたテープ長に達するまで、テープ長方向に、文字列を所定の間隔をもって繰り返し配置したとき、最後尾に配置した文字列が、設定されたテープ長をはみ出すか否かを判定するテープ長判定部と、を備え、テープ長設定部は、テープ長判定部により、最後尾に配置した文字列が、設定されたテープ長をはみ出すと判定された場合、最後尾に配置した文字列がはみ出さないように、テープ長を延長する。【選択図】図６
2016199000.tif 000002
【特許請求の範囲】
【請求項１】
ケーブルに貼り付けるラベルを作成するラベル作成装置であって、
入力情報に基づいて前記ラベルのテープ長を設定するテープ長設定部と、
設定された前記テープ長に達するまで、テープ長方向に、文字列を所定の間隔をもって繰り返し配置したとき、最後尾に配置した前記文字列が、設定された前記テープ長をはみ出すか否かを判定する第１判定部と、を備え、
前記テープ長設定部は、
前記第１判定部により、最後尾に配置した前記文字列が、設定された前記テープ長をはみ出すと判定された場合、最後尾に配置した前記文字列がはみ出さないように、前記テープ長を延長することを特徴とするラベル作成装置。
【請求項２】
前記第１判定部により、最後尾に配置した前記文字列が、設定された前記テープ長をはみ出すと判定された場合、最後尾に配置した前記文字列の半部以上が、設定された前記テープ長をはみ出すか否かを判定する第２判定部と、
前記テープ長設定部は、
前記第２判定部により、最後尾に配置した前記文字列の半部以上が、設定された前記テープ長をはみ出すと判定された場合、最後尾に配置した前記文字列全体がはみ出し且つ最後尾の１つ前の前記文字列がはみ出さないテープ長まで、前記テープ長を減縮し、
前記第１判定部により、最後尾に配置した前記文字列が、設定された前記テープ長をはみ出すと判定し、且つ前記第２判定部により、最後尾に配置した前記文字列の半部以上が、設定された前記テープ長をはみ出さないと判定された場合、最後尾に配置した前記文字列がはみ出さないように、前記テープ長を延長することを特徴とする請求項１に記載のラベル作成装置。
【請求項３】
前記文字列は、文字の並び方向がテープ幅方向となるように配置されることを特徴とする請求項１または２に記載のラベル作成装置。
【請求項４】
前記文字列は、複数行から成る文字列を含むことを特徴とする請求項３に記載のラベル作成装置。
【請求項５】
ケーブルの外周面に貼り付けるケーブルラベルを作成するラベル作成方法であって、
入力情報に基づいて前記ケーブルラベルのテープ長を設定するテープ長設定ステップと、
前記テープ長設定ステップにより設定された前記テープ長に達するまで、テープ長方向に、文字列を所定の間隔をもって繰り返し配置したとき、最後尾に配置した前記文字列が、設定された前記テープ長をはみ出すか否かを判定する判定ステップと、
前記判定ステップにより、最後尾に配置した前記文字列が、設定された前記テープ長をはみ出すと判定された場合、最後尾に配置した前記文字列が前記テープ長をはみ出さないように、前記テープ長を延長するテープ長延長ステップと、を実行することを特徴とするラベル作成方法。
【発明の詳細な説明】
【技術分野】
【０００１】
本発明は、ケーブルに貼り付けるラベルを作成するラベル作成装置およびラベル作成方法に関するものである。
【背景技術】
【０００２】
従来、この種のラベル作成装置として、ケーブルラベルの外周面に巻き付けて貼り付けるケーブルラベルを作成するものが知られている（特許文献１参照）。このラベル作成装置では、印刷テープに対し、印刷処理および切断処理を行って、印刷テープからケーブルラベルを作成する。また、このラベル作成装置は、ケーブルラベルとして、印刷テープのテープ幅方向に単一の文字列が印刷され、且つ当該テープ幅方向を巻付け方向として貼り付けるものを作成する。
【先行技術文献】
【特許文献】
【０００３】
【特許文献１】特開２００９−２１４４８２号公報
【発明の概要】
【発明が解決しようとする課題】
【０００４】
ところで、上記従来のラベル作成装置では、テープ幅方向を巻付け方向とする構成であるため、印刷テープを変更しない限り、巻付け方向の長さを変更することができないという問題がある。また、上記従来のラベル作成装置では、巻付け方向の一の位置にしか文字列を印刷しないため、ケーブルの周方向の特定の位置にしか文字列が表示されず、見る方向によってはユーザーから文字列が確認できないという問題もある。よって、テープ長方向を巻付け方向とし、巻付け方向であるテープ長方向全域に、文字列を繰り返し配置したケーブルラベルを作成することが求められている。例えば、作成するケーブルラベルのテープ長を設定し、設定されたテープ長に達するまで、テープ長方向に文字列を所定の間隔をもって繰り返し印刷して、ケーブルラベルを作成する構成が考えられる。
しかしながら、このような構成では、図６（ａ）に示すように、最後尾の文字列が、設定されたテープ長をはみ出して印刷しきれず、最後尾の文字列が途中で切れてしまうという問題があった。これでは、見栄えが著しく悪くなる上、印刷した文字列が別の文字列であると誤認してしまう虞が生じる。
【０００５】
本発明は、テープ長方向に文字列を所定の間隔をもって繰り返し配置したラベルを作成するラベル作成装置であって、テープ長方向の最後尾の文字列が途中で切れてしまうのを防止することができるラベル作成装置およびラベル作成方法を提供することを課題としている。
【課題を解決するための手段】
【０００６】
本発明のラベル作成装置は、ケーブルに貼り付けるラベルを作成するラベル作成装置であって、入力情報に基づいてラベルのテープ長を設定するテープ長設定部と、設定されたテープ長に達するまで、テープ長方向に、文字列を所定の間隔をもって繰り返し配置したとき、最後尾に配置した文字列が、設定されたテープ長をはみ出すか否かを判定する第１判定部と、を備え、テープ長設定部は、第１判定部により、最後尾に配置した文字列が、設定されたテープ長をはみ出すと判定された場合、最後尾に配置した文字列がはみ出さないように、テープ長を延長することを特徴とする。
【０００７】
この場合、文字列は、文字の並び方向がテープ幅方向となるように配置されることが好ましい。
【０００８】
本発明のラベル作成方法は、ケーブルの外周面に貼り付けるケーブルラベルを作成するラベル作成方法であって、入力情報に基づいてケーブルラベルのテープ長を設定するテープ長設定ステップと、テープ長設定ステップにより設定されたテープ長に達するまで、テープ長方向に、文字列を所定の間隔をもって繰り返し配置したとき、最後尾に配置した文字列が、設定されたテープ長をはみ出すか否かを判定する判定ステップと、判定ステップにより、最後尾に配置した文字列が、設定されたテープ長をはみ出すと判定された場合、最後尾に配置した文字列がテープ長をはみ出さないように、テープ長を延長するテープ長延長ステップと、を実行することを特徴とする。
【０００９】
これらの構成によれば、図６（ｂ）に示すように、テープ長方向の最後尾の文字列イメージが、テープ長をはみ出さないように、テープ長が延長されるため、文字列が途中で切れてしまうのを防止することができる。よって、見栄えが良く且つ文字列の誤認が生じないラベル（ケーブルラベル）を作成することができる。
【００１０】
上記のラベル作成装置において、第１判定部により、最後尾に配置した文字列が、設定されたテープ長をはみ出すと判定された場合、最後尾に配置した文字列の半部以上が、設定されたテープ長をはみ出すか否かを判定する第２判定部と、テープ長設定部は、第２判定部により、最後尾に配置した文字列の半部以上が、設定されたテープ長をはみ出すと判定された場合、最後尾に配置した文字列全体がはみ出し且つ最後尾の１つ前の文字列がはみ出さないテープ長まで、テープ長を減縮し、第１判定部により、最後尾に配置した文字列が、設定されたテープ長をはみ出すと判定し、且つ第２判定部により、最後尾に配置した文字列の半部以上が、設定されたテープ長をはみ出さないと判定された場合、最後尾に配置した文字列がはみ出さないように、テープ長を延長することが好ましい。
【００１１】
この構成によれば、最後尾の文字列のはみ出し量によって、テープ長の延長しまたは減縮する構成であるため、適切なテープ長でラベルを作成することができる。
【００１２】
上記のラベル作成装置において、文字列は、複数行から成る文字列を含むことが好ましい。
【００１３】
この構成によれば、複数行の文字列も１の文字列と見做すため、行単位で文字列が途中で切れてしまうのを防止することができる。
【図面の簡単な説明】
【００１４】
【図１】本発明の一実施形態に係る閉蓋状態のラベル作成装置を示した外観斜視図である。
【図２】開蓋状態のラベル作成装置を示した外観斜視図である。
【図３】ラベル作成装置の制御構成を示した制御ブロック図である。
【図４】ラベル作成装置の各種選択画面および各種入力画面を示した図である。
【図５】ケーブルラベルの作成例を示した図である。
【図６】（ａ）は、最後尾の文字列がテープ長をはみ出した状態のケーブルラベルの作成例を示した図であり、（ｂ）は、最後尾の文字列がはみ出さないようにテープ長を補正したケーブルラベルの作成例を示した図である。
【図７】ケーブルラベルのラベル作成動作を示したフローチャートである。
【図８】ケーブルラベルのラベル作成動作を示した画面遷移図である。
【図９】変形例のラベル作成装置における制御構成を示した制御ブロック図である。
【発明を実施するための形態】
【００１５】
以下、添付の図面を参照しながら、本発明の一実施形態に係るラベル作成装置およびラベル作成方法について説明する。実施形態では、本発明を適用したラベル作成装置を例示する。このラベル作成装置は、長尺状の印刷テープに対し、印刷処理および切断処理を施して、ラベルを作成するテープ印刷装置である。特に、本ラベル作成装置は、ケーブル（通信ケーブル等）の外周面に対し巻き付けるように貼り付けるケーブルラベル（ラベル）を作成する。
【００１６】
図１および図２に示すように、ラベル作成装置１は、装置ケース１１により外装が形成され、装置ケース１１の前部上面には、各種入力キーを備えたキーボード１２が配設されている。また、装置ケース１１の後部右上面には、キーボード１２からの入力結果等を表示するディスプレイ１３が配設されている。さらに、装置ケース１１の後部左上面には、開閉蓋１４が設けられている。
【００１７】
開閉蓋１４の内側には、テープカートリッジ１０を装着するためのカートリッジ装着部１５が窪入形成されており、テープカートリッジ１０は、開閉蓋１４を開放した状態でカートリッジ装着部１５に着脱可能に装着される。また、開閉蓋１４には、これを閉じた状態でテープカートリッジ１０の装着／非装着を視認するための覗き窓１４ａが形成されている。
【００１８】
装置ケース１１の左側部には、カートリッジ装着部１５と外部とを連通するテープ排出口１６が形成されている。そして、このテープ排出口１６には、送り出した印刷テープＴを切断するためのテープカッター１７が臨んでいる。
【００１９】
一方、図２に示すように、カートリッジ装着部１５は、ヘッドカバー２１に覆われたサーマルタイプの印刷ヘッド２２と、印刷ヘッド２２に対峙するプラテン駆動軸２３と、後述のリボン巻取りリール３３と嵌合する巻取り駆動軸２４と、後述のテープリール３１の位置決め突起２５と、を有している。また、カートリッジ装着部１５の下側には、プラテン駆動軸２３および巻取り駆動軸２４を駆動するテープ送りモーター４１（図３参照）が内蔵されている。さらに、装置ケース１１の内部には、後述の制御部４３（図３参照）を構成する回路基板が組み込まれている。
【００２０】
テープカートリッジ１０は、印刷テープＴを巻回したテープリール３１と、インクリボンＲを巻回したリボンリール３２と、インクリボンＲを巻き取るリボン巻取りリール３３と、印刷ヘッド２２に対峙するプラテンローラー３４と、これらを収容したカートリッジケース３５と、を有している。また、カートリッジケース３５には、印刷ヘッド２２を内蔵したヘッドカバー２１が挿通されるヘッド開口３６が、上下に貫通形成されている。また、印刷テープＴは、裏面に粘着剤層が形成された記録テープＴａと、この粘着剤層により記録テープＴａに貼り付けられた剥離テープＴｂとから構成されている。
【００２１】
テープカートリッジ１０がカートリッジ装着部１５に装着されると、ヘッドカバー２１がヘッド開口３６に差し込まれ、位置決め突起２５がテープリール３１の中心孔に差し込まれる。これと同時に、プラテン駆動軸２３がプラテンローラー３４に嵌合され、巻取り駆動軸２４がリボン巻取りリール３３に嵌合される。印刷テープＴは、テープリール３１から繰り出され、印刷ヘッド２２とプラテンローラー３４との対峙位置を通った後、テープ排出口１６に向かって送られ、テープ排出口１６から装置外部に送り出される（テープ送り経路）。一方、インクリボンＲは、リボンリール３２から繰り出され、印刷ヘッド２２とプラテンローラー３４との対峙位置を通った後、ヘッド開口３６の周壁を周回して、リボン巻取りリール３３に巻き取られる。このように、印刷テープＴとインクリボンＲとは、印刷ヘッド２２とプラテンローラー３４との対峙位置で重なった状態となっている。
【００２２】
テープカートリッジ１０がカートリッジ装着部１５に装着された状態で、プラテン駆動軸２３および巻取り駆動軸２４を回転駆動すると、プラテンローラー３４およびリボン巻取りリール３３が回転し、これによって、印刷テープＴが上記テープ送り経路に沿って送られ、インクリボンＲが上記リボン送り経路に沿って送られていく。この送り動作に同期して、印刷ヘッド２２の各発熱素子を選択的に発熱駆動することで、送られていく印刷テープＴに対しインクリボンＲ上のインクを転写して、所望の印刷を行う。また、印刷テープＴの送りを一旦停止し、テープカッター１７を駆動することで、印刷テープＴを切断する。これら印刷処理および切断処理によって、ラベルが作成される。
【００２３】
次に図３を参照して、ラベル作成装置１の制御構成について説明する。図３に示すように、ラベル作成装置１は、ディスプレイ１３と、キーボード１２と、印刷ヘッド２２と、テープ送りモーター４１と、カッターモーター４２と、テープカッター１７と、これらを制御する制御部４３と、を備えている。
【００２４】
ディスプレイ１３は、各種入力画面や各種選択画面を表示するための表示部として機能する。キーボード１２は、ディスプレイ１３に表示された各種入力画面にてユーザーが各種情報を入力するための入力部として機能すると共に、ディスプレイ１３に表示された各種選択画面にてユーザーが選択肢を選択するための選択部として機能する。
【００２５】
印刷ヘッド２２およびテープ送りモーター４１は、印刷テープＴを送りながら当該印刷テープＴ上に印刷を行う印刷部として機能する。また、カッターモーター４２は、テープカッター１７と接続され、印刷テープＴを切断する切断部として機能する。
【００２６】
制御部４３は、ＣＰＵ（Central Processing Unit）、ＲＡＭ（Random Access Memory）およびＲＯＭ（Read Only Memory）等を有し、ラベル作成装置１全体を統括制御する。そして、制御部４３は、各種プログラムによって、ケーブル情報入力部５１、テープ長設定部５２、配置設定選択部５３、文字列入力部５４、印刷データ生成部５６および印刷実行部５７として機能する。
【００２７】
ケーブル情報入力部５１は、貼付け対象となるケーブルＣの情報を入力するための各入力画面Ｄ２、Ｄ３を表示して、ユーザーによる当該情報の入力を受け付ける。具体的には、ケーブル情報入力部５１は、まず、入力情報選択画面Ｄ１（図４（ａ）参照）をディスプレイ１３に表示して、入力情報を、ケーブルＣの直径（「Dia」）と周長（「Length」）とから選択させる。その後、入力情報選択画面Ｄ１において、ケーブルＣの直径が選択された場合には、直径入力画面Ｄ２（図４（ｂ）参照）をディスプレイ１３に表示して、ケーブルＣの直径を入力させる。そして、その入力を受け付ける。一方、入力情報選択画面Ｄ１において、ケーブルＣの周長が選択された場合には、周長入力画面Ｄ３（図４（ｃ）参照）をディスプレイ１３に表示して、ケーブルＣの周長を入力させる。そして、その入力を受け付ける。
【００２８】
テープ長設定部５２は、設定部５２ａと、補正部５２ｂと、を備えている。設定部５２ａは、ケーブル情報入力部５１の入力情報（ケーブルＣの直径または周長）に基づいて、作成するケーブルラベルＬのテープ長を設定する。具体的には、設定部５２ａは、入力情報がケーブルＣの直径である場合には、ケーブルＣの直径からケーブルＣの周長を算出し、この周長をテープ長として設定する。一方、入力情報がケーブルＣの周長である場合には、この周長をそのまま、テープ長として設定する。補正部５２ｂは、設定部５２ａにより設定されたテープ長を補正するものである。補正部５２ｂについては、後述する。
【００２９】
配置設定選択部５３は、ケーブルラベルＬ上に配置する文字列の配置設定を選択するための各選択画面Ｄ４、Ｄ５を表示して、ユーザーによる、当該配置設定の選択を受け付ける。具体的には、配置設定選択部５３は、反復設定選択画面Ｄ４（図４（ｄ）参照）をディスプレイ１３に表示して、文字列をテープ長方向に繰り返し配置するか（「On」）、文字列を１つのみ配置するか（「Off」)、を選択させる。そして、その選択を受け付ける。なお、文字列をテープ長方向に繰り返し配置したケーブルラベルＬの作成例を図５（ａ）に示し、文字列を１つのみ配置したケーブルラベルＬの作成例を図５（ｂ）に示す。なお、図５（ａ）および（ｂ）に示すように、文字列は、文字の並び方向が印刷テープＴのテープ幅方向となるように配置される。
【００３０】
また、配置設定選択部５３は、余白設定選択画面Ｄ５（図４（ｅ）参照）をディスプレイ１３に表示して、余白設定を、「Min」、「Short」、「Middle」、「Long」、「Tape/3」、「Tape」、「Auto」の中から選択させる。そして、その選択を受け付ける。なお、「Min」、「Short」、「Middle」、「Long」、「Tape/3」、「Tape」は、それぞれ余白の大きさを示しているのに対し、「Auto」は、テープ長設定部５２の補正部５２ｂによるテープ長の補正を行う旨を示している。
【００３１】
文字列入力部５４は、ケーブルラベルＬ上に配置する文字列を入力するための文字列入力画面Ｄ６（図４（ｆ）参照）を表示して、ユーザーによる、当該文字列の入力を受け付ける。具体的には、文字列入力部５４は、文字列入力画面Ｄ６をディスプレイ１３に表示して、ユーザーに当該文字列を入力させる。そして、その入力を受け付ける。なお、文字列入力画面Ｄ６では、複数行の文字列が入力可能に構成されている。すなわち、作成するケーブルラベルＬには、複数行から成る文字列を配置可能であり、ケーブルラベルＬに、１または繰り返し配置する文字列は、複数行から成る文字列を含んでいる。なお、複数行から成る文字列を配置したケーブルラベルＬの作成例を、図５（ｃ）および（ｄ）に示す。
【００３２】
印刷データ生成部５６は、設定されたテープ長と、選択された上記配置設定と、入力された文字列と、に基づいて、印刷データを生成する。例えば、反復設定選択画面Ｄ４で「On」が選択された場合には、テープ長に達するまで文字列を繰り返し配置した印刷データを生成し、反復設定選択画面Ｄ４で「Off」が選択された場合には、文字列を１つのみ配置した印刷データを生成する。また、余白設定選択画面Ｄ５で「Auto」が選択された場合には、テープ長設定部５２の補正部５２ｂにより補正されたテープ長で、印刷データを生成する。
【００３３】
印刷実行部５７は、印刷データ生成部５６により生成された印刷データに基づいて、印刷ヘッド２２、テープ送りモーター４１およびカッターモーター４２を制御して、印刷テープＴに対し印刷処理および切断処理を行う。これによって、図５に示したようなケーブルラベルＬを作成する。
【００３４】
ここで、テープ長設定部５２の補正部５２ｂについて説明する。補正部５２ｂは、上記反復設定選択画面Ｄ４で「On」が選択され、上記余白設定選択画面Ｄ５で「Auto」が選択された場合に、テープ長方向に繰り返し配置した文字列がテープ長をはみ出さないように、テープ長を補正するものである。すなわち、設定部５２ａにより設定されたテープ長をそのまま利用すると、図６（ａ）に示すように、最後尾の文字列がテープ長をはみ出し、当該文字列が途中で切れてしまう場合がある。これに対し、図６（ｂ）に示すように、テープ長を補正して、最後尾の文字列がテープ長からはみ出さないようにする。具体的には、補正部５２ｂは、テープ長判定部６１（第１判定部）と、テープ長延長部６２と、を有している。
【００３５】
テープ長判定部６１は、設定されたテープ長に達するまでテープ長方向に繰り返し配置した文字列が、設定部５２ａにより設定されたテープ長をはみ出すか否かを判定する。具体的には、テープ長判定部６１は、設定されたテープ長に達するまで、文字列入力部５４により入力された文字列を、テープ長方向に所定の間隔をもって繰り返し配置したとき、最後尾に配置した文字列が、設定されたテープ長をはみ出すか否かを判定する。なお、「所定の間隔」とは、テープ長方向に繰り返し配置した複数の文字列を、１連の文字列ではないと認識できる最小の間隔である。
【００３６】
一方、テープ長延長部６２は、テープ長判定部６１により、最後尾の文字列が、テープ長をはみ出すと判定された場合、最後尾の文字列がはみ出さないように、テープ長を延長する。すなわち、テープ長を延長して、最後尾の文字列全体が印刷されるようにする。なお、図６（ｂ）に示すように、ケーブルラベルＬの尾端の余白Ｍ１が、ケーブルラベルＬの前端の余白Ｍ２と同一となるように、テープ長を延長することが好ましい。
【００３７】
ここで図７および図８を参照して、ラベル作成装置１によるケーブルラベルＬのラベル作成動作について説明する。図７に示すように、ラベル作成装置１は、まず、ケーブル情報入力部５１により、入力情報選択画面Ｄ１を表示する（Ｓ１）（図８（ａ）参照）。これに対し、ユーザーは、キーボード１２により、入力情報を選択し、ラベル作成装置１は、ケーブル情報入力部５１により、この入力情報の選択を受け付ける。
【００３８】
入力情報の選択を受け付けたら、選択された入力情報が、ケーブルＣの直径であるか、ケーブルＣの周長であるかを判定する（Ｓ２）。選択された入力情報が、ケーブルＣの直径であると判定された場合（Ｓ２：Ａ）には、ケーブル情報入力部５１により、直径入力画面Ｄ２を表示する（Ｓ３）（図８（ｂ）参照）。これに対し、ユーザーは、キーボード１２により、ケーブルＣの直径を入力し、ラベル作成装置１は、ケーブル情報入力部５１により、この直径の入力を受け付ける。
【００３９】
一方、選択された入力情報が、ケーブルＣの周長であると判定された場合（Ｓ２：Ｂ）には、ケーブル情報入力部５１により、周長入力画面Ｄ３を表示する（Ｓ４）（図８（ｃ）参照）。これに対し、ユーザーは、キーボード１２により、ケーブルＣの周長を入力し、ラベル作成装置１は、ケーブル情報入力部５１により、この周長の入力を受け付ける。
【００４０】
ケーブルＣの直径または周長の入力を受け付けたら、テープ長設定部５２の設定部５２ａにより、入力情報に基づいて、テープ長を設定する（Ｓ５）（テープ長設定ステップ）。上記したように、ケーブルＣの直径が入力された場合には、ケーブルＣの直径からケーブルＣの周長を算出し、算出したケーブルＣの周長をテープ長として設定する。また、ケーブルＣの周長が入力された場合には、入力された周長をテープ長として設定する。
【００４１】
テープ長を設定したら、配置設定選択部５３により、反復設定選択画面Ｄ４を表示する（Ｓ６）（図８（ｄ）参照）。これに対し、ユーザーは、文字列をテープ長方向に繰り返し配置するか（「On」）、文字列を１つのみ配置するか（「Off」)、を選択し、ラベル作成装置１は、配置設定選択部５３により、この反復設定の選択を受け付ける。なお、図８の例では、反復設定選択画面Ｄ４において、「On」が選択されたものとする。
【００４２】
反復設定の選択を受け付けたら、配置設定選択部５３により、余白設定選択画面Ｄ５を表示する（Ｓ７）（図８（ｅ）参照）。これに対し、ユーザーは、余白設定を、「Min」、「Short」、「Middle」、「Long」、「Tape/3」、「Tape」、「Auto」の中から選択し、ラベル作成装置１は、配置設定選択部５３により、この余白設定の選択を受け付ける。なお、図８の例では、余白設定選択画面Ｄ５において、「Auto」が選択されたものとする。
【００４３】
余白設定の選択を受け付けたら、文字列入力部５４により、文字列入力画面Ｄ６を表示する（Ｓ８）（図８（ｆ）参照）。これに対し、ユーザーは、ケーブルラベルＬ上に配置する文字列を入力し、ラベル作成装置１は、文字列入力部５４により、この文字列の入力を受け付ける。
【００４４】
文字列の入力を受け付けたら、反復設定選択画面Ｄ４にて「On」が選択され且つ余白設定選択画面Ｄ５にて「Auto」が選択されたか否かを判定する（Ｓ９）。そして、反復設定選択画面Ｄ４にて「On」が選択され且つ余白設定選択画面Ｄ５にて「Auto」が選択されたと判定された場合（Ｓ９：Ｙｅｓ）には、テープ長設定部５２の補正部５２ｂによるテープ長の補正処理（Ｓ１０、Ｓ１１）を行い、一方、それ以外の場合（Ｓ９：Ｎｏ）には、テープ長の補正処理（Ｓ１０、Ｓ１１）を行わずに、次の工程に移行する。
【００４５】
テープ長の補正処理では、まず、テープ長判定部６１により、設定されたテープ長に達するまで、入力された文字列をテープ長方向に所定の間隔をもって繰り返し配置したとき、最後尾に配置した文字列が、設定されたテープ長をはみ出すか否かを判定する（Ｓ１０）。そして、最後尾の文字列が、テープ長をはみ出すと判定された場合（Ｓ１０：Ｙｅｓ）、テープ長延長部６２により、最後尾の文字列がはみ出さないように、テープ長を延長する（Ｓ１１）。なお、最後尾の文字列が、テープ長をはみ出さないと判定された場合（Ｓ１０：Ｎｏ）、テープ長を延長せずに、次の工程に移行する。
【００４６】
テープ長の補正処理が終了したら、印刷データ生成部５６により、設定されたテープ長と、選択された上記配置設定と、入力された文字列と、に基づいて、印刷データを生成する（Ｓ１２）。なお、上記したように、補正部５２ｂによりテープ長を補正された場合には、補正されたテープ長と、選択された上記配置設定と、入力された文字列と、に基づいて印刷データを生成する。
【００４７】
印刷データを生成したら、印刷実行部５７により、印刷ヘッド２２、テープ送りモーター４１およびカッターモーター４２を制御して、印刷テープＴに対し印刷処理および切断処理を行う（Ｓ１３）。これによって、印刷テープＴからケーブルラベルＬが作成される（図８（ｇ）参照）。これにより、本ラベル作成動作を終了する。ここで作成されたケーブルラベルＬは、図８（ｈ）および（≡）に示すように、テープ長方向を巻付け方向とし、記録テープＴａ部分をケーブルＣの外周面に巻き付けるように貼り付けて利用される。
【００４８】
以上のような構成によれば、補正部５２ｂによって、最後尾の文字列イメージがテープ長をはみ出さないように、テープ長が延長されるため、文字列が途中で切れてしまうのを防止することができる。よって、見栄えが良く且つ文字列の誤認が生じないラベルを作成することができる。
【００４９】
また、複数行の文字列も１の文字列と見做す構成であるため、行単位で文字列が途中で切れてしまうのを防止することができる。
【００５０】
なお、上記実施形態においては、テープ長に対する文字列のはみだし量に係わらず、テープ長を延長（拡張）する構成であったが、テープ長に対する文字列のはみだし量によって、テープ長の延長と減縮（縮小）とを選択的に行う構成であっても良い。具体的には、図９に示すように、補正部５２ｂが、第２テープ長判定部７１（第２判定部）と、テープ長減縮部７２と、を更に有する。そして、第２テープ長判定部７１は、テープ長判定部６１により、最後尾に配置した文字列が、設定されたテープ長をはみ出すと判定された場合、最後尾に配置した文字列の半部以上（半分以上）が、設定されたテープ長をはみ出すか否かを判定する。また、テープ長減縮部７２は、第２テープ長判定部７１により、最後尾に配置した文字列の半部以上が、設定されたテープ長をはみ出すと判定された場合、最後尾に配置した文字列全体がはみ出し且つ最後尾の１つ前の文字列がはみ出さないテープ長まで、テープ長を減縮する。さらに、テープ長延長部６２は、テープ長判定部６１により、最後尾に配置した文字列が、設定されたテープ長をはみ出すと判定し、且つ第２テープ長判定部７１により、最後尾に配置した文字列の半部以上が、設定されたテープ長をはみ出さないと判定された場合、最後尾に配置した文字列がはみ出さないように、テープ長を延長する。かかる構成によれば、最後尾の文字列のはみ出し量によって、テープ長の延長しまたは減縮する構成であるため、適切なテープ長でケーブルラベルＬを作成することができる。
【００５１】
また、上記実施形態においては、ラベル作成装置１に、本発明を適用したが、ホストコンピューターとラベル作成装置１とを接続して成るラベル作成システムに、本発明を適用しても良い。かかる場合、ホストコンピューターが、ケーブル情報入力部５１、テープ長設定部５２、配置設定選択部５３、文字列入力部５４および印刷データ生成部５６を有し、ホストコンピューター側で、テープ長の補正処理を行う構成とする。
【符号の説明】
【００５２】
１：ラベル作成装置、  ５２：テープ長設定部、  ６１：テープ長判定部、  ７１：第２テープ長判定部、  Ｃ：ケーブル、  Ｌ：ケーブルラベル。
【図１】
2016199000.tif 000003
【図２】
2016199000.tif 000004
【図３】
2016199000.tif 000005
【図４】
2016199000.tif 000006
【図５】
2016199000.tif 000007
【図６】
2016199000.tif 000008
【図７】
2016199000.tif 000009
【図８】
2016199000.tif 000010
【図９】
2016199000.tif 000011